【手続補正書】
【提出日】平成17年10月4日(2005.10.4)
【手続補正１】
【補正対象書類名】明細書
【補正対象項目名】特許請求の範囲
【補正方法】変更
【補正の内容】
【特許請求の範囲】
【請求項１】  少なくとも、第１のコアを有する光導波路と、第２のコアを有する光導波路とを、前記第１のコアの軸方向と前記第２のコアの軸方向の延長が交叉する形態で、有し、
前記第１のコアの軸方向と第２のコアの軸方向の延長との交叉する前記領域に隣接して、前記第１のコアと前記第２のコアとは間隙を有し、
前記間隙は、前記第１のコアを有する光導波路の、前記第１のコアの軸方向に沿う側面と、第２のコアを有する光導波路の光射出面との間に形成され、
前記第１のコアの軸方向と第２のコアの軸方向の延長との交叉する前記領域の近傍で、第１のコア及び第２のコアの各幅がそれ自身の他のコア部分より狭く、
且つ、前記第１のコアの軸方向と第２のコアの軸方向の延長との交叉する前記領域に隣接して、前記第１のコアの一方の端部を構成する溝と、この溝に光の透過、反射、又は吸収の少なくともいずれか一者の特性を有する部材を有することを特徴とする光導波路装置。
【請求項２】  光の透過、反射、又は吸収の少なくともいずれか一者の特性を有する部材を間にして、前記第１のコアとは反対側に第３のコアを有し、前記第３のコアの幅は溝の近傍で、それ自身の他のコア部分より狭いことを特徴とする請求項１に記載の光導波路装置。
【請求項３】  前記第１のコアと第３のコアとは、一体で形成された後、溝で分離されたことを特徴とする請求項２に記載の光導波路装置。
【請求項４】  前記光の透過、反射、又は吸収の少なくともいずれか一者の特性を有する部材は、波長選択フィルタ、反射鏡、ハーフミラー、及び光吸収板の群より選ばれた一者であることを特徴とする請求項１に記載の光導波路装置。
【請求項５】  前記光の透過、反射、又は吸収の少なくともいずれか一者の特性を有する部材は、波長選択フィルタ、反射鏡、ハーフミラー、及び光吸収板の群より選ばれた一者であることを特徴とする請求項２に記載の光導波路装置。
【請求項６】  前記第１のコアの軸方向と直交する方向の幅と、前記第２のコアの軸方向と直交する方向の幅が、前記溝の近傍で、当該溝に向かってテーパ状に狭くなっていることを特徴とする請求項１に記載の光導波路装置。
【請求項７】  前記第１のコアの軸方向と直交する方向の幅と、前記第２のコアの軸方向と直交する方向の幅が、前記溝の近傍で、当該溝に向かってテーパ状に狭くなっていることを特徴とする請求項２に記載の光導波路装置。
【請求項８】  前記第１のコアの軸方向と直交する方向の幅と、前記第２のコアの軸方向と直交する方向の幅の前記テーパ状の形状は、当該テーパ状領域を導波する光の強度分布が軸方向に沿って準静的に変化するごとくなされた形状であることを特徴とする請求項１に記載の光導波路装置。
【請求項９】  前記第１のコアの軸方向と直交する方向の幅と、前記第２のコアの軸方向と直交する方向の幅の前記テーパ状の形状は、当該テーパ状領域を導波する光の強度分布が軸方向に沿って準静的に変化するごとくなされた形状であることを特徴とする請求項２に記載の光導波路装置。
【請求項１０】  基板と、この基板上に第１のクラッド層と、この第１のクラッド層上に形成された少なくとも第１のコアと第２のコアと、少なくとも前記第１のコアと第２のコアとを覆って第２のクラッド層とを有し、
前記第２のコアは、前記第１のコアに角度を有し且つ前記第１のコアと間隙を有して光学的に結合され、
前記間隙は、前記第１のコアを有する光導波路の、前記第１のコアの軸方向に沿う側面と、第２のコアを有する光導波路の光射出面との間に形成され、
前記第１のコアと前記第２のコアとが光学的に結合される領域の近傍の各コア領域の幅は、当該各コアのその他の領域より狭くなされ、
前記第１のコアの幅が他の領域より狭くなされた部分で且つ前記第２のコアが光学的に結合される領域に隣接して、前記第１のコアと交叉して溝が形成されたことを特徴とする光導波路装置。
【請求項１１】  前記溝に光の透過、反射、又は吸収の少なくともいずれか一者の特性を有する部材を有することを特徴とする請求項１０に記載の光導波路装置。
【請求項１２】  前記光の透過、反射、又は吸収の少なくともいずれか一者の特性を有する部材は、波長選択フィルタ、反射鏡、ハーフミラー、及び光吸収板の群より選ばれた一者であることを特徴とする請求項１１に記載の光導波路装置。
【請求項１３】  前記第１のコアの軸方向と直交する方向の幅と、前記第２のコアの軸方向と直交する方向の幅が、前記溝の近傍で、当該溝に向かってテーパ状に狭くなっていることを特徴とする請求項１０に記載の光導波路装置。
【請求項１４】  前記第１のコアの軸方向と直交する方向の幅と、前記第２のコアの軸方向と直交する方向の幅の前記テーパ状の形状は、当該テーパ状領域を導波する光の強度分布が軸方向に沿って準静的に変化するごとくなされた形状であることを特徴とする請求項１０に記載の光導波路装置。
【請求項１５】  前記第１のコアの軸方向と直交する方向の幅と、前記第２のコアの軸方向と直交する方向の幅の変化が終了した終点から前記溝までの間の、前記第１のコアの軸方向と直交する方向の幅と、前記第２のコアの軸方向と直交する方向の幅は、各コアの幅の変化が終了した前記終点での幅となっていることを特徴とする請求項１０に記載の光導波路装置。
【請求項１６】  少なくとも、第１のコアを有する光導波路と、第２のコアを有する光導波路とを、前記第１のコアの軸方向と前記第２のコアの軸方向の延長が交叉する形態で、有し、
前記第１のコアの軸方向と第２のコアの軸方向の延長との交叉する前記領域に隣接して、前記第１のコアと前記第２のコアとは間隙を有し、
前記間隙は、前記第１のコアを有する光導波路の、前記第１のコアの軸方向に沿う側面と、第２のコアを有する光導波路の光射出面との間に形成され、
前記第１のコアの軸方向と第２のコアの軸方向の延長との交叉する前記領域の近傍で、第１のコア及び第２のコアの各幅がそれ自身の他のコア部分より狭く、
且つ、前記第１のコアの軸方向と第２のコアの軸方向の延長との交叉する前記領域に隣接して、前記第１のコアの一方の端部を構成する溝と、この溝に光の透過、反射、又は吸収の少なくともいずれか一者の特性を有する部材を有する光導波路構成を、複数有することを特徴とする光導波路装置。
【請求項１７】  少なくとも、第１のコアを有する光導波路と、第２のコアを有する光導波路とを、前記第１のコアの軸方向と前記第２のコアの軸方向の延長が交叉する形態で、有し、
前記第１のコアの軸方向と第２のコアの軸方向の延長との交叉する前記領域に隣接して、前記第１のコアと前記第２のコアとは間隙を有し、
前記間隙は、前記第１のコアを有する光導波路の、前記第１のコアの軸方向に沿う側面と、第２のコアを有する光導波路の光射出面との間に形成され、
前記第１のコアの軸方向と第２のコアの軸方向の延長との交叉する前記領域の近傍で、第１のコア及び第２のコアの各幅がそれ自身の他のコア部分より狭く、
且つ、前記第１のコアを有する光導波路の光射出面を介して、前記第１のコアを有する光導波路と前記第２のコアを有する光導波路とが光学的に結合されていることを特徴とする光導波路装置。
【請求項１８】  前記第１のコアを有する光導波路の光射出面に、光の透過、反射、又は吸収の少なくともいずれか一者の特性を有する部材を有することを特徴とする請求項１６に記載の光導波路装置。
【請求項１９】  少なくとも、第１のコアを有する光導波路と、第２のコアを有する光導波路とを、前記第１のコアの軸方向と前記第２のコアの軸方向の延長が交叉する形態で、有し、
前記第１のコアの軸方向と第２のコアの軸方向の延長との交叉する前記領域に隣接して、前記第１のコアと前記第２のコアとは間隙を有し、
前記間隔は、前記第１のコアを有する光導波路の、前記第１のコアの軸方向に沿う側面と、第２のコアを有する光導波路の光射出との間に形成され、
前記第１のコアの軸方向と第２のコアの軸方向の延長との交叉する前記領域の近傍で、第１のコア及び第２のコアの各幅がそれ自身の他のコア部分より狭いことを特徴とする光導波路装置。